(57)【要約】【課題】簡単な設定操作で自分のお気に入りの画像のみのスライド再生を実施することができる画像表示装置、その画像表示装置における画像表示方法および画像表示装置を画像表示装置として動作させる画像表示プログラムを提供する。【解決手段】スライドショー中に、ＯＫキーの押下操作によりお気に入り画像を指定することができるようにする（図３（Ａ））。ＯＫキーによりお気に入りの画像が指定されると、スライド再生されている画像の周りにお気に入り画像のサムネイル画像を表示する（図３（Ｂ））。ユーザによって上キーが操作されたことを受けて、サムネイル画像上にカーソルを表示する（図３（Ｃ））。さらにＯＫキーの操作を受けて、指定されたお気に入り画像のみのスライド再生を実行する（図３（Ｄ））。【選択図】図３
2010102180.tif 000002
【特許請求の範囲】
【請求項１】
画像を表示する表示画面を備えた画像表示装置であって、
順序づけられた複数の画像を取得する取得手段と、
前記取得手段で取得した画像を前記表示画面上に順次に表示する第１の表示モードを有する画像表示手段と、
前記画像表示手段により前記表示画面上に画像が順次に表示されている途中での操作を受けて該表示画面上に現在表示中の画像を指定する注目画像指定手段であって、前記表示画面に別々の画像が表示されている複数のタイミングそれぞれでの操作を受けたときは、各操作を受けたタイミングで表示されていた複数の画像を指定する注目画像指定手段とを備え、
前記画像表示手段は、前記注目画像指定手段で指定された画像のみを前記表示画面上に順次に表示する第２の表示モードを有することを特徴とする画像表示装置。
【請求項２】
前記画像表示手段は、前記第１の表示モードにおいて、前記注目画像指定手段で指定された画像のサムネイル画像を前記表示画面の周縁領域に表示するものであることを特徴とする請求項１記載の画像表示装置。
【請求項３】
操作を受けて、前記表示画面の周縁領域に表示されているサムネイル画像の中から、前記第２のモードによる画像表示の先頭の画像に対応するサムネイル画像を指定する先頭画像指定手段を備え、
前記画像表示手段は、前記第２のモードにおいて、前記先頭画像指示手段で指定されたサムネイル画像に対応する画像を先頭として、該画像以降の、前記注目画像指定手段で指定された画像を前記表示画面上に順次に表示するものであることを特徴とする請求項１又は２記載の画像表示装置。
【請求項４】
画像を表示する表示画面を備えた画像表示装置における画像表示方法であって、
順序づけられた複数の画像を取得する取得ステップと、
前記取得ステップで取得した画像を前記表示画面上に順次に表示する第１の画像表示ステップと、
前記第１の画像表示ステップにより前記表示画面上に画像が順次に表示されている途中での操作を受けて該表示画面上に現在表示中の画像を指定する注目画像指定ステップであって、前記表示画面に別々の画像が表示されている複数のタイミングそれぞれでの操作を受けたときは、各操作を受けたタイミングで表示されていた複数の画像を指定する注目画像指定ステップと、
前記注目画像指定ステップで指定された画像のみを前記表示画面上に順次に表示する第２の画像表示ステップとを有することを特徴とする画像表示方法。
【請求項５】
前記第１の画像表示ステップは、前記注目画像指定ステップで指定された画像のサムネイル画像を前記表示画面の周縁領域に表示するものであることを特徴とする請求項４記載の画像表示方法。
【請求項６】
操作を受けて、前記表示画面の周縁領域に表示されているサムネイル画像の中から、前記第２のモードによる画像表示の先頭の画像に対応するサムネイル画像を指定する先頭画像指定ステップを有し、
前記第２の画像表示ステップは、記先頭画像指示ステップで指定されたサムネイル画像に対応する画像を先頭として、該画像以降の、前記注目画像指定ステップで指定された画像を前記表示画面上に順次に表示するものであることを特徴とする請求項４又は５記載の画像表示方法。
【請求項７】
画像を表示する表示画面を備えた画像表示装置内で実行され、該画像表示装置を、
順序づけられた複数の画像を取得する取得手段と、
前記取得手段で取得した画像を前記表示画面上に順次に表示する第１の表示モードを有する画像表示手段と、
前記画像表示手段により前記表示画面上に画像が順次に表示されている途中での操作を受けて該表示画面上に現在表示中の画像を指定する注目画像指定手段であって、前記表示手段に別々の画像が表示されている複数のタイミングそれぞれでの操作を受けたときは、各操作を受けたタイミングで表示されていた複数の画像を指定する注目画像指定手段とを備え、
前記画像表示手段が、前記画像指定手段で指定された画像のみを前記表示画面上に順次に表示する第２の表示モードを有する画像表示装置として動作させることを特徴とする画像表示プログラム。
【請求項８】
前記画像表示手段は、前記第１の表示モードにおいて、前記注目画像指定手段で指定された画像のサムネイル画像を前記表示画面の周縁領域に表示するものであることを特徴とする請求項７記載の画像表示プログラム。
【請求項９】
前記画像表示装置を、さらに、操作を受けて、前記表示画面の周縁領域に表示されているサムネイル画像の中から、前記第２の表示モードによる画像表示の先頭の画像に対応するサムネイル画像を指定する先頭画像指定手段を備え、
前記画像表示手段が、前記第２の表示モードにおいて、前記先頭画像指示手段で指定されたサムネイル画像に対応する画像を先頭として、該画像以降の、前記注目画像指定手段で指定された画像を前記表示画面上に順次に表示するものである画像表示装置として動作させることを特徴とする請求項７又は８記載の画像表示プログラム。
【発明の詳細な説明】
【技術分野】
【０００１】
本発明は、画像を表示する画像表示装置、その画像表示装置における画像表示方法、および画像表示装置を画像表示装置として動作させる画像表示プログラムに関する。
【背景技術】
【０００２】
最近の画像表示装置には、複数の画像を表示画面上に順次に表示するスライドショーと呼ばれる再生表示機能（以降においてはこの‘スライドショーと呼ばれる再生表示機能’を単にスライド再生ということがある）が搭載されているものが多い。このスライドショーが搭載された画像表示装置においては、順次に再生される画像にズーム効果やパン効果、さらにはフェードインやフォードアウトのような特殊効果を与えることができるものがある（例えば特許文献１から４参照）。このようにスライドショーと呼ばれる再生表示機能で順次に再生される画像に特殊効果を付与することができると、ユーザにとってはスライド再生される画像がより印象深いものになる。  
【０００３】
ところで、スライドショーにおいては、自分のお気に入りの画像と、そうでもない画像とが入り混じってスライド再生されることが多い。ユーザの中には、お気に入りの画像だけをじっくりと見たいと思う人がいる。このような人の要望に応えるには、例えば上記特許文献１〜４等の技術を応用して自分のお気に入り画像の表示時間を長くして残りの画像を短くするような特殊効果を付与することが考えられる。しかし、このような特殊効果を付与するには煩雑な設定操作が必要になるという問題がある。
【特許文献１】特開２００２−１５２５５７号公報
【特許文献２】特開２００６−１７３９８５号公報
【特許文献３】特開２００７−１７８８３９号公報
【発明の開示】
【発明が解決しようとする課題】
【０００４】
本発明は、上記事情に鑑み、簡単な設定操作で自分のお気に入りの画像のみのスライド再生を実施することができる画像表示装置、その画像表示装置における画像表示方法および画像表示装置を画像表示装置として動作させる画像表示プログラムを提供することを目的とするものである。
【課題を解決するための手段】
【０００５】
上記目的を達成するための本発明の画像表示装置は、画像を表示する表示画面を備えた画像表示装置であって、
順序づけられた複数の画像を取得する取得手段と、
上記取得手段で取得した画像を上記表示画面上に順次に表示する第１の表示モードを有する画像表示手段と、
上記画像表示手段により上記表示画面上に画像が順次に表示されている途中での操作を受けて表示画面上に現在表示中の画像を指定する注目画像指定手段であって、上記表示画面に別々の画像が表示されている複数のタイミングそれぞれでの操作を受けたときは、各操作を受けたタイミングで表示されていた複数の画像を指定する注目画像指定手段とを備え、
上記画像表示手段は、上記注目画像指定手段で指定された画像のみを上記表示画面上に順次に表示する第２の表示モードを有することを特徴とする。
【０００６】
上記本発明の画像表示装置によれば、上記画像表示手段によって表示画面上に上記取得手段によって取得された複数の画像が順次に表示されている途中で、ユーザのお気に入り画像が上記注目画像指定手段によって複数回指定され、さらに操作により上記第２の表示モードが指定されると、指定された複数のお気に入り画像が上記表示制御手段によって表示画面上にスライド再生される。
【０００７】
つまり、ユーザは、予め順序づけられた複数の画像がスライド再生されている最中に自分のお気に入り画像を上記注目画像指定手段で指定するという簡単な操作を複数回行ない、加えて第２のモードに移行するという操作を行なうことで、自分のお気に入りの画像のスライド再生を、この画像再生装置に簡単に行なわせることができる。
【０００８】
ここで、上記画像表示手段は、上記第１の表示モードにおいて、上記注目画像指定手段で指定された画像のサムネイル画像を上記表示画面の周縁領域に表示するものであることが好ましい。
【０００９】
そうすると、ユーザは、上記画像表示手段によって表示画面上に順次に画像が表示されている最中に上記注目画像指定手段を使って画像を指定しているときには、自分のお気に入りの画像の指定状況を上記表示画面の周縁領域に表示された１以上のサムネイル画像を見て確認することができる。
【００１０】
また、操作を受けて、上記表示画面の周縁領域に表示されているサムネイル画像の中から、上記第２のモードによる画像表示の先頭の画像に対応するサムネイル画像を指定する先頭画像指定手段を備え、
上記画像表示手段は、上記第２のモードにおいて、上記先頭画像指示手段で指定されたサムネイル画像に対応する画像を先頭として、その画像以降の、上記注目画像指定手段で指定された画像を上記表示画面上に順次に表示するものであることが好ましい。
【００１１】
そうすると、ユーザが上記注目画像指定手段でお気に入り画像を複数指定した後、操作により第２のモードに移行した後は、複数指定したお気に入り画像のうちのどの画像からでも自在にスライド再生を開始させることができる。
【００１２】
また、上記目的を達成する本発明の画像表示方法は、
画像を表示する表示画面を備えた画像表示装置における画像表示方法であって、
順序づけられた複数の画像を取得する取得ステップと、
上記取得ステップで取得した画像を上記表示画面上に順次に表示する第１の画像表示ステップと、
上記第１の画像表示ステップにより上記表示画面上に画像が順次に表示されている途中での操作を受けてその表示画面上に現在表示中の画像を指定する注目画像指定ステップであって、上記表示画面に別々の画像が表示されている複数のタイミングそれぞれでの操作を受けたときは、各操作を受けたタイミングで表示されていた複数の画像を指定する注目画像指定ステップと、
上記注目画像指定ステップで指定された画像のみを上記表示画面上に順次に表示する第２の画像表示ステップとを有することを特徴とする。
【００１３】
また上記第１の画像表示ステップは、上記注目画像指定ステップで指定された画像のサムネイル画像を上記表示画面の周縁領域に表示するものであることが好ましい。
【００１４】
さらに、操作を受けて、上記表示画面の周縁領域に表示されているサムネイル画像の中から、上記第２のモードによる画像表示の先頭の画像に対応するサムネイル画像を指定する先頭画像指定ステップを有し、
上記第２の画像表示ステップは、記先頭画像指示ステップで指定されたサムネイル画像に対応する画像を先頭として、その画像以降の、上記注目画像指定ステップで指定された画像を上記表示画面上に順次に表示するものであることがより好ましい。
【００１５】
また、上記目的を達成する本発明の画像表示プログラムは、
画像を表示する表示画面を備えた画像表示装置内で実行され、その画像表示装置を、
順序づけられた複数の画像を取得する取得手段と、
上記取得手段で取得した画像を上記表示画面上に順次に表示する第１の表示モードを有する画像表示手段と、
上記画像表示手段により上記表示画面上に画像が順次に表示されている途中での操作を受けてその表示画面上に現在表示中の画像を指定する注目画像指定手段であって、上記表示手段に別々の画像が表示されている複数のタイミングそれぞれでの操作を受けたときは、各操作を受けたタイミングで表示されていた複数の画像を指定する注目画像指定手段とを備え、
上記画像表示手段が、上記画像指定手段で指定された画像のみを上記表示画面上に順次に表示する第２の表示モードを有する画像表示装置として動作させることを特徴とする。
【００１６】
ここで、上記画像表示手段は、上記第１の表示モードにおいて、上記注目画像指定手段で指定された画像のサムネイル画像を上記表示画面の周縁領域に表示するものであることが好ましい。
【００１７】
また、上記画像表示装置を、さらに、操作を受けて、上記表示画面の周縁領域に表示されているサムネイル画像の中から、上記第２の表示モードによる画像表示の先頭の画像に対応するサムネイル画像を指定する先頭画像指定手段を備え、
上記画像表示手段が、上記第２の表示モードにおいて、上記先頭画像指示手段で指定されたサムネイル画像に対応する画像を先頭として、その画像以降の、上記注目画像指定手段で指定された画像を上記表示画面上に順次に表示するものである画像表示装置として動作させることが好ましい。
【発明の効果】
【００１８】
以上説明した様に、簡単な設定操作で自分のお気に入りの画像のみのスライド再生を実施することができる画像表示装置、その画像表示装置における画像表示方法および画像表示装置を画像表示装置として動作させるプログラムが実現する。
【発明を実施するための最良の形態】
【００１９】
以下図面を参照して本発明の実施の形態を説明する。
【００２０】
図１は、本発明の画像表示装置の一実施形態であるデジタルカメラ１の外観を示す図である。図１のデジタルカメラ１は撮影モードと再生モードとを有しており、再生モードに切り替えられたときのこのデジタルカメラ１が、本発明にいう画像表示装置の一例を構成することになる。
【００２１】
図１（ａ）には、デジタルカメラ１を正面から見た図が示されており、図１（ｂ）には、デジタルカメラ１を背面から見た図が示されている。
【００２２】
図１（ａ）に示すように、ボディ１ａの中央には撮影レンズ１１０１が備えられており、その撮影レンズ１１０１の右斜め上方には発光窓１９０Ａが備えられている。さらにボディ１ａ上  面にはレリーズボタン１０ａなどが備えられている。また、図１（ｂ）に示すように、ボディ１ａ背面には表示画面１２５Ａが備えられており、その表示画面１２５Ａの隣にはメニューを表示画面１２５Ａ上に表示するときに操作されるＭＥＮＵ／ＯＫキー１０ｂやそのメニュー内のいずれかの項目を選択するときに操作される十字キー１０ｃや、表示画面１２５Ａを非表示にしたり表示にしたりする時に操作されるＤＩＳＰ／ＢＡＣＫボタン１０ｄや表示画面１２５Ａ上に既撮影画像を再生表示するときに操作される再生釦１０ｅやズームスイッチ１０ｆやキャンセルキー１０ｇなどの操作子が備えられている。尚以降においては、これらの操作子をまとめて操作子群１０と記載することがある。
【００２３】
図２は、図１のデジタルカメラ１の内部の構成を示すブロック図である。
【００２４】
図２に示す様に、本実施形態のデジタルカメラ１の動作は、ＣＰＵ１００によって統括的に制御されており、そのＣＰＵ１００にはアドレスバス１０４Ａとデータバス１０４Ｄを介してメインメモリ１００Ｂが接続されている。このメインメモリ１００Ｂ内にプログラムが書き込まれている。このプログラムの中に本発明にいう画像表示装置を画像表示装置として動作させるプログラムも書き込まれている。本実施形態のデジタルカメラ１においては電源が投入されたことを受けてＣＰＵ１００がそのメインメモリ１００Ｂにメモリ制御部１００Ａを介してアクセスして内部のプログラムの手順にしたがってこのデジタルカメラ１の動作の制御を開始する。
【００２５】
ここで、まず撮影モードのときの動作を説明する。
【００２６】
図２の左側の撮影レンズ１１０１で捉えられている被写体を表わす画像データが、右側の記録メディア１２８に記録されるので、図２の左側にある構成要素から順に説明していく。
【００２７】
図２の左側にある撮影光学系内の撮影レンズ１１０１で捉えられている被写体が撮像素子１２０に結像される。このときには、フォーカスと露出が調整された被写体光を撮像素子１２０に結像させる必要があるので、後述する積算部１２９の積算結果に基づいてＣＰＵ１００によって絞り駆動部１０２が制御され撮影光学系内の絞り１１０２の径が変更され露出調節が行なわれるとともに、ＣＰＵ１００によってレンズ駆動部１０１が制御され撮影レンズ１１０１の中のフォーカスレンズのフォーカス位置が調整されることによりピント調整が行なわれる。
【００２８】
なお、本実施形態においては、撮影レンズ１１０１を備える撮影光学系内に光学ローパスフィルタや赤外線カットフィルタ等のフィルタ１１０３を挿入してエリアシングなどの発生を抑制したり、撮像素子１２０（本例ではＣＣＤ固体撮像素子）の赤外線側の感度が高いので赤外線の悪影響を防止したりしている。
【００２９】
こうして撮影レンズ１１０１が向けられている方向の被写体が撮像素子１２０に結像され撮像素子１２０で被写体を表わす画像データが生成されて撮像素子１２０から被写体を表わす画像データがアナログ信号処理部１２１側へと出力される。
【００３０】
図１に示すようなデジタルカメラにおいては背面側の表示画面１２５Ａがファインダ代わりに用いられるので表示画面１２５Ａ上に動画を表示するために電源が投入されたときにＣＰＵ１００は撮像素子駆動部１０３に指示して所定の間隔ごとに撮像素子１２０に画像を生成させてはアナログ信号処理部１２１へと画像データを出力させている。この撮像素子１２０から出力された画像データを受けてアナログ信号処理部１２１では、ノイズ低減処理などが行なわれノイズ低減処理が行われた画像データが後段のＡ／Ｄ１２２でデジタル信号の画像データに変換されて画像データがデータバス１０４Ｄ上に導かれる。
【００３１】
データバス１０４Ｄ上に導かれた画像データは、まずデジタル信号処理部１２３内のフレームメモリにすべて転送される。このデジタル信号処理部１２３では、ＲＧＢ信号からＹＣ信号への変換などの処理が行なわれＹＣ信号に変換された画像データがＣＰＵ１００の制御の下に表示制御部１２４内の表示バッファメモリ（不図示）に転送される。そして表示制御部１２４の制御の下に表示部１２５が備える表示画面１２５Ａ上に画像データに基づく画像が表示される。ＣＰＵ１００は、前述した様に撮像素子駆動部１０３に指示して撮像素子１２０に所定の間隔ごとに画像を生成させては出力させているので、表示制御部１２４内の画像バッファメモリの内容が所定の間隔ごとに書き換えられることにより表示画面上の画像が次々に切り替えられて表示部１２５が備える表示画面１２５Ａ上には撮影レンズ１１０１が捉えている被写体像（以降スルー画という）が表示される。
【００３２】
ここで、その表示画面１２５Ａ上のスルー画を見ながらシャッタチャンスにレリーズボタン１０ａが押されると、まずレリーズボタン１０ａが半押しされたときにＣＰＵ１００が積算部１２９に測光および測距を行なわせて測光結果と測距結果を受け取って絞り駆動部１０２に指示して絞りの径を調節させるとともにレンズ駆動部１０１に指示してフォーカスレンズを合焦位置に移動させてピント調整を行なわせる。
【００３３】
続いて全押しされたときにＣＰＵ１００は、積算部１２９で積算された結果に基づいて半押し時に予め算出しておいたシャッタ速度で撮像素子駆動部１０３に指示して撮像素子１２０に露光を行なわせ露光終了後に被写体を表わす画像データをアナログ信号処理部１２１へと出力させる。このとき、ＣＰＵ１００が被写界輝度が暗いと判定した場合には、不図示の発光手段に発光を行なわせて、発光窓１９０Ａから撮影補助光を被写体に向けて照射させ撮影が行なわれる。
【００３４】
撮像素子１２０から出力された画像データがアナログ信号処理部１２１へ供給されると、アナログ信号処理部１２１では、ノイズ低減処理などが行なわれ、Ａ／Ｄ１２２でデジタル信号に変換された画像データがデータバス１０４Ｄ上に導かれ、データバス側に導かれた画像データがデジタル信号処理部１２３内のフレームメモリ内にすべて導かれる。
【００３５】
デジタル信号処理部１２３ではＹＣ変換処理などの信号処理が行なわれ、デジタル信号処理部１２３で信号処理が行なわれた後、今度はデータバス１０４Ｄを経由してアドレスバス１０４Ａのアドレス指定に基づいて圧縮伸張処理部１２６に画像データが転送され、この圧縮伸張処理部１２６で画像データが圧縮処理される。さらに圧縮処理された画像データが同様に外部メモリ制御部１２７に転送され外部メモリ制御部１２７の制御の下に記録メディア１２８に記録される。
【００３６】
次に再生時の画像データの流れを説明する。
【００３７】
本実施形態のデジタルカメラ１には、再生時に表示用のバッファとしても用いられる画像処理部１３０が備えられている。この画像処理部１３０は再生ボタン１０ｅが操作されたときにＣＰＵ１００からの指示を受けて記録メディア１２８から画像を読み出し、必要であれば読み出した画像に加工を施してから表示制御部１２４に出力する。表示制御部１２４は、画像処理部１３０からの画像データを受け取って表示部の表示画面上に画像を表示する。
【００３８】
さらに本実施形態では、お気に入り画像登録部１４０を設けて、お気に入りの画像を操作により指定して登録することができる構成にしてある。
【００３９】
詳細は後述するが、本実施形態では、ＣＰＵ１００と画像処理部１３０と表示制御部１２４とが本発明にいう画像表示手段の一例を構成し、ＣＰＵ１００と外部メモリ制御部１２７と記録メディア１２８とが、本発明にいう取得手段の一例を構成し、ＣＰＵ１００とお気に入り登録部１４０と操作子群１０とが本発明にいう注目画像指定手段の一例を構成する。
【００４０】
ここで、本実施形態のデジタルカメラ１には、上述のスライド再生機能が配備されており、再生ボタンが押されさらにメニューボタン１０ｂが押されると、メニュー画面が表示され、さらに、そのメニュー画面の中の『再生』という項目の中の‘スライドショー’が選択されると、記録メディア１２８内のすべての画像が撮影時刻順にスライド再生される構成になっている。このときには、メモリメモリ１００Ｂ内の画像表示プログラムの手順にしたがってスライド再生が行なわれる。
【００４１】
図３は、スライド再生が行なわれているときの表示画面１２５Ａの状態を説明する図である。図３（Ａ）には、スライド再生が行われている状態が示されており、図３（Ｂ）には、そのスライド再生が行なわれているときにお気に入り画像が複数指定された後の状態が示されている。また図３（Ｃ）には、お気に入り画像のみを表示画面上に順次に表示する第２の表示モードに移行する前の状態が示されており、図３（Ｄ）には、第２の表示モードに移行した後のスライド再生状態が示されている。
【００４２】
図３（Ａ）に示す様に、表示画面１２５Ａの第１の表示領域１２５０に順序付けられた複数の画像のスライド再生が行なわれる。なお、この例では、記録メディア１２８内に記録されているすべての既撮影画像が撮影順にループ再生される構成になっている。また第１の表示領域１２５０にスライド再生されている画像の見易さを確保するために第１の表示領域１２５０のサイズは、表示画面１２５Ａのアスペクト比と同一のアスペクト比で構成されている。
【００４３】
この第１の表示領域１２５０にスライド再生が行なわれて、画像が順次に表示画面１２５Ａ上に表示されている途中でＯＫキー１０ｂが操作され表示画面１２５Ａ上の画像が指定されると、ＯＫキー１０ｂが押されたタイミングの画像がお気に入り画像として指定され、第１の表示領域１２５０の周縁の第２の表示領域１２５１にその画像のサムネイル画像が表示される。このＯＫキー１０ｂの操作はスライド再生が終わるまでの間に何回行なわれても良く、その何回かの操作のタイミングのときに表示されていた画像はすべてお気に入り画像として指定され、第２の表示領域１２５１には操作回数に応じた数のサムネイル画像が表示される（図３（Ｂ））。
【００４４】
ここで上キー１０４ｃが操作されると、ＯＫキー１０ｂの操作により指定されたお気に入り画像のみを表示画面１２５Ａ上に順次に表示する第２モードに移行する準備が開始される。このときには、図３（Ｃ）に示す様に、最初に指定されたサムネイル画像にカーソルが表示される。その後、ＯＫキー１０ｂが操作されると、第２の表示モードに移行してこの画像を先頭としてその画像以降に指定されたお気に入り画像が順次に表示される。
【００４５】
また本実施形態では、カーソルが表示された後、ＯＫキー１０ｂが操作される前に右キー１０１ｃが操作されると、カーソルが次に指定されたサムネイル画像に移動し、左キー１０２ｃが操作されると、一つ前に指定されたサムネイル画像に移動する構成になっている。この左キー１０１ｃ又は右キー１０２ｃが何回か操作され図３（Ｃ）に示すカーソルが別のサムネイル画像に移動した後でＯＫキー１０ｂが操作されると、その別のサムネイル画像を先頭としてその画像以降に指定されたお気に入り画像が順次に表示される。
【００４６】
ここで、図３で説明したデジタルカメラ１の再生動作を制御する、ＣＰＵ１００と画像処理部１３０の処理内容を図４を参照して分かり易く説明する。
【００４７】
図４は、ＣＰＵ１００と画像処理部１３０と表示制御部１２４が連携して実行するスライド再生処理の処理手順を示すフローチャートである。
【００４８】
まず、ステップＳ４０１で、再生ボタン１０ｅの操作を受けてＣＰＵ１００と画像処理部１３０とが連携してメインメモリ内のプログラムにしたがって記録メディア１２９内の画像を読み出し、表示制御部１２４に画像を供給してスライド再生を開始させる。ステップＳ４０２でＣＰＵ１００が内部のタイマカウント値を参照して一定時間が経過したことを判定すると、ステップＳ４０２へ進み表示制御部１２４とに指示して次の画像への切替を実行させ（ステップＳ４０３）、ＣＰＵ１００と画像処理部１３０と表示制御部１２４とが連携してステップＳ４０２とステップＳ４０３の処理を繰り返すことで表示画面１２５Ａ上にスライド再生を実施する。この例では、ＣＰＵ１００からの指示を受けて画像処理部１３０が記録メディア１２９内の画像すべてを一枚づつ読み出してスライド再生を実施する。本実施形態では、ステップＳ４０１で本発明にいう取得ステップの一例が構成される。また、ステップＳ４０２とステップＳ４０３とで本発明にいう第１の画像表示ステップの一例が構成される。
【００４９】
ここで、ステップＳ４０２でＣＰＵ１００がタイマカウント値を参照して一定時間が経過していないうちは、ステップＳ４０２を飛ばしてＳ４０４からステップ４０７までの処理を繰り返し、ＯＫキー１０ｂの押下操作による‘お気に入り画像の選択’というイベントの発生があったか、又は、上キー１０４ｃの押下操作による‘第２の表示モードへの移行’というイベントの発生があったか、又はキャンセルキー１０ｇの押下操作による‘スライド再生の終了’というイベントの発生があったかを判定する。
【００５０】
ステップＳ４０４でＯＫキー１０ｂの押下操作による‘お気に入り画像の選択’というイベントの発生があったと判定すると、ステップＳ４０５へ進んで現在、第１の表示領域１２５０に表示されている画像をお気に入り画像としてお気に入り登録部１４０に登録するとともに、第１の表示領域１２５０の周囲の第２の表示領域１２５１にサムネイル画像を表示し、以降ステップＳ４０４からステップＳ４０７の処理を再び繰り返す。本実施形態では、ステップＳ４０４で本発明にいう注目画像指定ステップの一例が構成される。
【００５１】
この繰り返しの最中にキャンセルキー１０ｇの押下操作による‘スライドショーの終了’というイベントの発生があるとステップＳ４０７で判定してこのフローの処理を終了する。
【００５２】
また、この繰り返しの最中に上キー１０４ｃの押下操作による‘第２の表示モードへの移行’というイベントの発生があると、ステップＳ４０６でＹｅｓ側へ進んでステップＳ４０８で最初にお気に入り登録部１４０に登録された画像のサムネイル画像にカーソルを表示して選択状態にする。
【００５３】
そして今度はステップＳ４０９からステップＳ４１２の処理を繰り返し実行し、ＯＫキー１０ｂの押下操作による‘第２の表示モードの選択という’イベントの発生、又は、左キー１０２ｃ又は右キー１０１ｃの押下操作による‘別のお気に入り画像への移動’というイベントの発生、又は、下キー１０３ｃの押下操作による‘スライドショーの再開’というイベントの発生を待ち受ける。
【００５４】
左キー１０２ｃ又は右キー１０１ｃの押下操作による‘別のお気に入り画像への移動’というイベントの発生があると、ステップＳ４１０でＹｅｓ側へ進んでステップＳ４１１で次に指定されたサムネイル画像あるいは一つ前に指定されたサムネイル画像にカーソルを移動させ選択状態にする。本実施形態ではステップＳ４０９からステップＳ４１２までの処理で、本発明にいう先頭画像指定ステップの一例が構成される。
【００５５】
また下キー１０３ｃの押下操作による‘スライドショーの再開’というイベントの発生があると、ステップＳ４１２でＹｅｓ側へ進んでステップＳ４０２に戻ってスライドショーを再開しステップＳ４０２からステップＳ４０７の処理を繰り返す。
【００５６】
また、ＯＫキー１０ｂが操作され‘第２のモードへ移行する’というイベントの発生があると、ステップＳ４０９でＹｅｓ側へ進んでステップＳ４１３で第２のモードへ移行してカーソルが表示されているサムネイル画像に対応する画像をフル画面表示する。
【００５７】
そして今度はステップＳ４１４からステップＳ４１７の処理を繰り返し実行し、左キー１０２ｃあるいは右キー１０１ｃの押下による‘改ページ’というイベントの発生、又は、キャンセルキー１０ｇの押下操作による‘終了’というイベントの発生、又は、下キー１０３ｃの押下操作による‘スライドショーの再開’というイベントの発生があったかどうかを判定する。
【００５８】
左キー１０２ｃ又は右キー１０１ｃの押下操作による‘改ページ’というイベントの発生があったと判定すると、ステップＳ４１４でＹｅｓ側へ進んでステップＳ４１５で、お気に入り登録部１４０に登録された画像のうちの次の画像への切替を実行する。これによってお気に入りの画像が切り替わりながら表示される。本実施形態においては、ステップＳ４１４とステップＳ４１５とで本発明にいう第２の画像表示ステップの一例が構成される。
【００５９】
また下キー１０３ｃの押下操作による‘スライドショーの再開’というイベントの発生があるとステップＳ４１６でＹｅｓ側へ進んでステップＳ４１７で元のスライドショー表示に切り替えてステップＳ４０２に戻ってステップＳ４０２からステップＳ４０７の処理を繰り返す。
【００６０】
またキャンセルキー１０ｇの押下操作による‘スライドショーの終了’というイベントの発生があるとステップＳ４１７でＹｅｓ側へ進んでこのフローの処理を終了する。
【００６１】
ＣＰＵ１００と画像処理部１３０とが連携して図４のフローを実行して表示制御部１２４を制御すると、お気に入り画像のみのスライド再生を実行することができる。
【００６２】
以上説明した様に、簡単な設定操作で自分のお気に入りの画像のみのスライド再生を実施することができる画像表示装置が実現する。
【００６３】
なお、図４のフローでは、お気に入り画像の表示間隔をユーザ自らが調整することができるように、左キー１０２ｃ又は右キー１０１ｃの操作に応じて画像の切替を行なう構成にしてあるが、第２の表示モードにおいても第１の表示モードと同様に、ＣＰＵのタイマカウントを参照して時間の経過に応じて自動的に画像の切替を行なう構成にしても良い。
【図面の簡単な説明】
【００６４】
【図１】本発明の画像表示装置の一実施形態であるデジタルカメラ１の外観を示す図である。
【図２】図１のデジタルカメラ１の内部の構成を示すブロック図である。
【図３】スライド再生が行なわれているときの表示画面１２５Ａの状態を説明する図である。
【図４】ＣＰＵ１００と画像処理部１３０と表示制御部１２４が連携して実行するスライド再生処理の処理手順を示すフローチャートである。
【符号の説明】
【００６５】
１    デジタルカメラ
１０    操作子群
１０ａ    レリーズボタン
１０ｂ    ＭＥＮＵ／ＯＫ釦
１０ｃ    十字キー
１０ｄ    ＤＩＳＰ／ＢＡＣＫ釦
１０ｅ    再生釦
１０ｆ    ズームスイッチ
１００    ＣＰＵ
１００Ａ    メモリ制御部
１００Ｂ    メインメモリ（プログラムメモリ）
１００Ｃ    時計
１０１    レンズ駆動部
１０２    絞り駆動部
１０３    撮像素子駆動部
１１０１    撮影レンズ
１１０２    絞り
１１０３    赤外線フィルタ
１１０４    光学ローパスフィルタ
１２０    撮像素子
１２１    アナログ信号処理部
１２２    Ａ／Ｄ
１２３    デジタル信号処理部
１２４    表示制御部
１２５    表示部
１２６    圧縮伸張処理部
１２７    外部メモリ制御部
１２８    記録メディア
１２９    積算部
【図１】
2010102180.tif 000003
【図２】
2010102180.tif 000004
【図３】
2010102180.tif 000005
【図４】
2010102180.tif 000006